(57)【要約】【課題】暖房と給湯、風呂との同時使用からの暖房単独使用への切り替え時、未燃ガスの発生を阻止した給湯暖房装置及び風呂暖房装置及び給湯風呂暖房装置を提供する。【解決手段】加熱用のバーナ部２を備え且つ暖房用放熱器７と暖房用循環ポンプ９を有した暖房回路Ａで連通された暖房用缶体１内に、市水道と連通し給湯を行うための間接加熱式の給湯用熱交４を備え、暖房と給湯との同時使用時には、暖房用缶体１内湯温を予め設定した目標温度となるようにバーナ部２を最大燃焼させるもので、前記同時使用から給湯を停止した時には、一旦小火力燃焼を所定時間継続してから燃焼を停止するようにしたことにより、常に小火力燃焼を一定時間行ってから消火されるので、最大燃焼からの急激な消火が避けられて、未燃ガスの発生が防止出来、排気臭もタールの付着も確実に阻止して、良好な消火が得られ安心して使用出来るものである。【選択図】  図１
2005241086.tif 000002
【特許請求の範囲】
【請求項１】
加熱用のバーナ部を備え且つ暖房用放熱器と暖房用循環ポンプを有した暖房回路で連通された暖房用缶体内に、市水道と連通し給湯を行うための間接加熱式の給湯用熱交を備え、暖房と給湯との同時使用時には、暖房缶体内湯温を予め設定した目標温度となるようにバーナ部を最大燃焼させるものに於いて、前記同時使用から給湯を停止した時には、一旦小火力燃焼を所定時間継続してから燃焼を停止するようにした事を特徴とする給湯暖房装置。
【請求項２】
加熱用のバーナ部を備え且つ暖房用放熱器と暖房用循環ポンプを有した暖房回路で連通された暖房用缶体内に、浴槽と循環回路を介して連通し浴槽内の湯または水を加熱する間接加熱式の風呂用熱交を備え、暖房と風呂との同時使用時には、暖房缶体内湯温を予め設定した目標温度となるようにバーナ部を最大燃焼させるものに於いて、前記同時使用から風呂を停止した時には、一旦小火力燃焼を所定時間継続してから燃焼を停止するようにした事を特徴とする風呂暖房装置。
【請求項３】
加熱用のバーナ部を備え且つ暖房用放熱器と暖房用循環ポンプを有した暖房回路で連通された暖房用缶体内に、市水道と連通し給湯を行うための間接加熱式の給湯用熱交と、浴槽と循環回路を介して連通し浴槽内の湯または水を加熱する間接加熱式の風呂用熱交とを備え、暖房と給湯及び風呂の同時使用時には、暖房缶体内湯温を予め設定した目標温度となるようにバーナ部を最大燃焼させるものに於いて、前記同時使用から給湯及び風呂を停止した時には、一旦小火力燃焼を所定時間継続してから燃焼を停止するようにした事を特徴とする給湯風呂暖房装置。
【発明の詳細な説明】
【技術分野】
【０００１】
この発明は１つの缶体で、給湯、暖房、或いは風呂、暖房の少なくとも２回路を有する給湯暖房装置或いは風呂暖房装置、又は給湯、風呂、暖房の３回路を有する給湯風呂暖房装置に関するものである。
【背景技術】
【０００２】
従来の給湯暖房装置では、暖房用の熱媒体が貯溜された缶体内に、給湯用熱交換器や風呂用熱交換器を備え、暖房、給湯、風呂の追い炊きや保温をそれぞれ良好に行うものであった。（例えば、特許文献１参照。）
【特許文献１】特開２００１−６５８８４号公報
【発明の開示】
【発明が解決しようとする課題】
【０００３】
ところでこの従来のものでは、缶体内湯温による間接加熱方式の為、暖房と給湯、暖房と風呂或いは暖房と給湯、風呂の同時使用時には、目標とする缶体内の湯温の上限温度も高くなりバーナ部は最大能力での燃焼を行うものであり、そして一時的な使用である給湯や風呂が停止されると、暖房単独となるので目標とする湯温の上限温度も低くなり、熱量がオーバー気味となることから燃焼が停止され、最大燃焼から急激に燃焼が消火されるので、未燃ガスが多量に放出され、排気臭と家屋の壁面へのタール付着の原因となるものであった。
【課題を解決するための手段】
【０００４】
この発明はこの点に着目し上記問題点を解決する為、請求項１では、加熱用のバーナ部を備え且つ暖房用放熱器と暖房用循環ポンプを有した暖房回路で連通された暖房用缶体内に、市水道と連通し給湯を行うための間接加熱式の給湯用熱交を備え、暖房と給湯との同時使用時には、暖房缶体内湯温を予め設定した目標温度となるようにバーナ部を最大燃焼させるものに於いて、前記同時使用から給湯を停止した時には、一旦小火力燃焼を所定時間継続してから燃焼を停止するようにしたものである。
【０００５】
又請求項２では、加熱用のバーナ部を備え且つ暖房用放熱器と暖房用循環ポンプを有した暖房回路で連通された暖房用缶体内に、浴槽と循環回路を介して連通し浴槽内の湯または水を加熱する間接加熱式の風呂用熱交を備え、暖房と風呂との同時使用時には、暖房缶体内湯温を予め設定した目標温度となるようにバーナ部を最大燃焼させるものに於いて、前記同時使用から風呂を停止した時には、一旦小火力燃焼を所定時間継続してから燃焼を停止するようにしたものである。
【０００６】
又請求項３では、加熱用のバーナ部を備え且つ暖房用放熱器と暖房用循環ポンプを有した暖房回路で連通された暖房用缶体内に、市水道と連通し給湯を行うための間接加熱式の給湯用熱交と、浴槽と循環回路を介して連通し浴槽内の湯または水を加熱する間接加熱式の風呂用熱交とを備え、暖房と給湯及び風呂の同時使用時には、暖房缶体内湯温を予め設定した目標温度となるようにバーナ部を最大燃焼させるものに於いて、前記同時使用から給湯及び風呂を停止した時には、一旦小火力燃焼を所定時間継続してから燃焼を停止するようにしたものである。
【発明の効果】
【０００７】
この請求項１の発明によれば、暖房と給湯の同時使用後に、一時的な使用である給湯が停止された時のバーナ部の燃焼停止時には、常に小火力燃焼を一定時間行ってから消火されるので、最大燃焼からの急激な消火が避けられて、未燃ガスの発生が防止出来、排気臭もタールの付着も確実に阻止して、良好な消火が得られ安心して使用出来るものである。
【０００８】
又請求項２によれば、暖房と風呂の同時使用後に、一時的な使用である風呂が停止された時のバーナ部の燃焼停止時には、常に小火力燃焼を一定時間行ってから消火されるので、最大燃焼からの急激な消火が避けられて、未燃ガスの発生が防止出来、排気臭もタールの付着も確実に阻止して、良好な消火が得られ安心して使用出来るものである。
【０００９】
又請求項３によれば、暖房と給湯及び風呂の同時使用後に、一時的な使用である給湯及び風呂が停止された時のバーナ部の燃焼停止時には、常に小火力燃焼を一定時間行ってから消火されるので、最大燃焼からの急激な消火が避けられて、未燃ガスの発生が防止出来、排気臭もタールの付着も確実に阻止して、良好な消火が得られ安心して使用出来るものである。
【発明を実施するための最良の形態】
【００１０】
次にこの発明に係る１缶３回路式の給湯暖房風呂装置を図面に示された一実施形態で説明する。
１は下部に加熱用のバーナ部２を備える燃焼室３を形成した暖房用缶体で、この缶体１内方には蛇管による間接加熱式の給湯用の熱交換器を構成する給湯用熱交４と、蛇管による間接加熱式の風呂焚き用の熱交換器を構成する風呂用熱交５とを上下に配設し、温水暖房を行うと共に給湯及び風呂焚きを同時またはそれぞれ単独でも行えるようにしたものである。
【００１１】
先ず、暖房回路Ａについて説明すると、６は暖房往き管、７は例えば床暖房パネル等の暖房用放熱器、８は暖房戻り管、９は暖房用循環ポンプ、１０は気液分離器、１１は暖房用膨張タンク、１２は開閉弁１３が設けられた暖房バイパス管、１４は暖房用缶体１の温度制御に用いる缶体温度センサで、暖房用缶体１にてバーナ部２の燃焼で缶体温度センサ１４の制御目標温度（７５℃）まで加熱された熱媒体が、暖房用循環ポンプ９により暖房往き管６を介して暖房用放熱器７に送られて暖房を行い、暖房用放熱器７で放熱した低温水（約３０℃〜５０℃程度）が暖房戻り管８を介して暖房用缶体１に戻り再度制御目標温度まで加熱されて循環するものである。
【００１２】
次に給湯回路Ｂについて説明すると、１５は水道に接続された給水管、１６は水の流量を検知する流量センサ、１７は給湯用熱交４で加熱された温水を出湯する給湯管、１８は給湯栓、１９はミキシング弁２０を介して給湯管１７に接続され給水管１５と給湯管１７とを連通する給湯バイパス管、２１は給湯栓１８の閉止時の熱膨張を吸収する給湯用膨張タンク、２２は給水温度センサ、２３は給湯温度センサで、給湯栓１８が開かれて流量センサ１６が最低作動流量を検知すると、暖房用缶体１内の熱媒体の温度を約９２℃程度の高温に維持するようバーナ部２で燃焼を行い、給水管１５からの冷水が給湯用熱交４で暖房用缶体１内の高温の熱媒体により間接加熱され、ミキシング弁２０で水道水と混合され適温に調節されて給湯栓１８から給湯されるものである。
【００１３】
次に風呂回路Ｃについて説明すると、２４は風呂浴槽、２５は風呂往き管、２６は風呂戻り管、２７は戻り管２６に設けられた風呂循環ポンプ、２８は循環の有無を検知する流水スイッチ、２９は風呂温度センサで、浴槽２４内の湯の沸かし上げ要求があると、浴槽２４内の湯を風呂循環ポンプ２７で風呂用熱交５に循環させ、浴槽２４内の湯が暖房用缶体１内の高温の熱媒体により間接加熱されることで浴槽２４内の湯を適温まで沸かし上げたり保温したりするものである。
【００１４】
そして、３０は給湯回路Ｂの給湯管１７から分岐されて風呂回路Ｃに湯張り弁３１及び三方弁３２を介して接続される湯張り管で、風呂の湯張り要求があると三方弁３２を風呂回路Ｃと湯張り管３０とを連通するよう切り換えると共に湯張り弁３１を開弁し、給湯用熱交４で加熱された湯を風呂回路Ｃ内に流入させて風呂浴槽２４への一定量の湯張りを行うものである。
【００１５】
ここで、３３は暖房用缶体１の上下部を結ぶ連通パイプ、３４はこの連通パイプ３３途中に備えられた撹拌用循環ポンプで、給湯時または風呂運転時に駆動して、暖房用缶体１内の温度を上下均一化させるもので、給湯または風呂運転が終了するまで継続駆動して撹拌を行うものである。尚、暖房運転時は暖房用循環ポンプ９が駆動されているため、撹拌用循環ポンプ３４は駆動しないようにすることも可能である。
【００１６】
３５はマイコンから成る本体側制御回路で、暖房用リモコン３６からの出力を受け、暖房関係の各駆動部品を制御する暖房制御回路３７及びバーナ部２の燃焼制御回路３８を制御するものであり、又給湯用リモコン３９からの出力を受け、給湯関係の各駆動部品を制御する給湯制御回路４０及び燃焼制御回路３８を制御するものであり、更に風呂用リモコン４１からの出力を受け、風呂関係の各駆動部品を制御する風呂制御回路４２及び燃焼制御回路３８するものである。
【００１７】
又この本体側制御回路４０には、缶体温度センサ１４が接続されて、暖房単独運転時には制御目標温度７５℃で、８０℃でバーナ部２を消火、６５℃で再点火とするもので、暖房と給湯の同時使用では、制御目標温度を８５℃とし、９２℃でバーナ部２を消火、８５℃で再点火するもので、暖房と風呂の追い焚き、保温の同時使用では、暖房と給湯の同時使用と同じ温度制御が行われるものであり、更にこの併用運転の消火時及び同時使用中の給湯使用停止、風呂使用停止による消火時には、タイマー部４３がカウントを開始して所定時間ここでは１０秒カウントするまで、バーナ部２を小火力燃焼させてから消火させて、未燃ガスの発生を抑えてタールを防止するものである。
【００１８】
次にこの発明の一実施形態の作動について説明する。
先ず、暖房運転を説明すれば、缶体温度センサ１４が暖房用缶体１内の湯温を検知し、この温度が７５℃になるようにバーナ部２の燃焼を制御すると共に、暖房用循環ポンプ９を駆動して暖房用缶体１内の高温となった温水や循環液や不凍液等の熱媒体を暖房用放熱器７に流通し、再び暖房用缶体１に戻す循環を繰り返して、暖房用放熱器７によって室内の暖房を行うものである。
【００１９】
又給湯運転は、暖房用缶体１内が高温となっている状態で、給湯栓１８が開かれれば給水管１５からの低温の水は直ぐに給湯用熱交４で暖房用缶体１内の高温の熱媒体により間接加熱されると同時に、撹拌用循環ポンプ３４を駆動し連通パイプ３３を介して暖房用缶体１の下部にある湯を缶体１上部に供給して暖房用缶体１の撹拌を行い暖房用缶体１内の上と下の温度差をなくし、常に同一の熱交換効率で熱交換できるようにして所望の温度の湯が供給されるものである。
【００２０】
更に風呂運転は、風呂用リモコン４１の風呂保温スイッチ（図示せず）をＯＮした等の浴槽２４内の湯の沸かし上げ要求があると、風呂用循環ポンプ２７を駆動して浴槽２４内の湯を風呂用熱交５に循環させて、高温に保持された暖房用缶体１内の熱媒体で加熱して浴槽２４内の湯を所望の温度に追い焚きしたり保温したりするもので、風呂温度センサ２９が所望の温度を検知すると自動的に停止されるものである。
【００２１】
次に暖房と給湯の同時使用では、図３に示すフロ−チャ−トで説明すれば、各運転スイッチ（図示せず）の押圧で暖房と給湯の同時使用を判断し（ステップ４４）、ＹＥＳでステップ４５に進み流量センサ１６による給湯が開始されたかの判断を行う。
そして、出湯中でＹＥＳではステップ４６に進み、缶体温度センサ１４により検出される缶体温度を暖房単独の７５℃から併用の８５℃になるようにバーナ部２を最大燃焼させ、暖房と給湯が共に良好に行われるようにするものであり、ステップ４７で流量センサ１６による給湯が停止されたかの判断を行う。
【００２２】
給湯が停止されてＹＥＳでステップ４８に進んで、缶体温度を暖房と給湯の同時使用時の８５℃から暖房単独の７５℃になるよう燃焼を停止しようとするが、その前にバーナ部２の燃焼を小火力燃焼とし、ステップ４９でタイマー部４３による１０秒の所定時間のカウントを待って、ステップ５０でようやく消火して燃焼を停止させるもので、一旦小火力燃焼してから消火されるので、燃焼温度も低く燃焼量も小さく、未燃ガスの発生を抑えられて、排気臭及びタールの発生もなくなるものである。
【００２３】
次に暖房と風呂の同時使用では、図４に示すフロ−チャ−トで説明すれば、各運転スイッチ（図示せず）の押圧で暖房と風呂の同時使用を判断し（ステップ５１）、ＹＥＳでステップ５２に進み風呂循環中かの判断を行う。
【００２４】
そして、循環中でＹＥＳではステップ５３に進み、缶体温度センサ１４により検出される缶体温度が８５℃になるようにバーナ部２を最大燃焼で燃焼させ、暖房と風呂が共に良好に行われるようにするものであり、ステップ５４で流水スイッチ２８による循環停止で風呂の使用が終了したと判断し、ステップ５５に進んで缶体温度を暖房と風呂の同時使用時の８５℃から暖房単独の７５℃になるよう燃焼を停止しようとするが、その前にバーナ部２の燃焼を小火力燃焼とし、ステップ５６でタイマー部４３による１０秒の所定時間のカウントを待って、ステップ５７でようやく消火して燃焼を停止させるもので、一旦小火力燃焼してから消火されるので、燃焼温度も低く燃焼量も小さく、未燃ガスの発生を抑えられて、排気臭及びタールの発生もなくなるものである。
【００２５】
次に暖房と給湯及び風呂の三者同時使用では、図５に示すフロ−チャ−トで説明すれば、各運転スイッチ（図示せず）の押圧で暖房と給湯及び風呂の同時使用を判断し（ステップ５８）、ＹＥＳでステップ５９に進み出湯中で風呂循環中かの判断を行う。
【００２６】
そして、出湯中で循環中のＹＥＳではステップ６０に進み、缶体温度センサ１４により検出される缶体温度が８５℃になるようにバーナ部２を最大燃焼で燃焼させ、暖房と給湯と風呂が共に良好に行われるようにするものであり、ステップ６１で給湯と風呂の使用が終了したかを判断し、ステップ６２に進んで缶体温度を暖房と給湯と風呂の同時使用時の８５℃から暖房単独の７５℃になるよう燃焼を停止しようとするが、その前にバーナ部２の燃焼を小火力燃焼とし、ステップ６３でタイマー部４３による１０秒の所定時間のカウントを待って、ステップ６４でようやく消火して燃焼を停止させるもので、一旦小火力燃焼してから消火されるので、燃焼温度も低く燃焼量も小さく、未燃ガスの発生を抑えられて、排気臭及びタールの発生もなくなるものである。
【００２７】
従って、暖房と給湯と風呂焚きが一台の器具で行えて極めて使用勝手が良いものでありながら、極寒の寒冷地では、冬期に暖房を止めることが出来ないので、一時的に使用される給湯や風呂との同時使用を最大燃焼で維持しながらその終了を待つものであり、併用運転可能なことでその使用勝手の良さを保持し、しかも同時使用から単独使用に戻ることによる缶体目標温度の変化で、最大燃焼から消火へと急激に切り替わることを、消火前に一旦小火力燃焼をすることを追加したことにより、急激な変化がなくなり騒音防止や、温度変化の縮小で未燃ガスの発生が防止され、排気臭及びタールの発生も抑えられるものである。
【図面の簡単な説明】
【００２８】
【図１】この発明の一実施形態を付した１缶３回路式給湯暖房風呂装置の概略構成図。
【図２】同電気回路の要部ブロック図。
【図３】同暖房と給湯の同時使用時のフロ−チャ−ト。
【図４】同暖房と風呂運転の同時使用時のフロ−チャ−ト。
【図５】同暖房と給湯及び風呂の三者同時使用時のフロ−チャ−ト。
【符号の説明】
【００２９】
１  暖房用缶体
２  バーナ部
４  給湯用熱交
５  風呂用熱交
７  暖房用放熱器
９  暖房用循環ポンプ
４３  タイマー部
Ａ  暖房回路
Ｂ  給湯回路
Ｃ  風呂回路
【図１】
2005241086.tif 000003
【図２】
2005241086.tif 000004
【図３】
2005241086.tif 000005
【図４】
2005241086.tif 000006
【図５】
2005241086.tif 000007